【事件の表示】
　特願２０１６−１０７９６３号「遊技機」拒絶査定不服審判事件〔平成２９年１２月７日出願公開、特開２０１７−２１３１０９号〕について、次のとおり審決する。
【結　論】
　本件審判の請求は、成り立たない。
【理　由】
第１　手続の経緯
　本願は、平成２８年５月３０日の出願であって、平成３０年１２月２８日に手続補正書が提出され、令和１年８月２９日付けで拒絶の理由が通知され、同年１０月３０日に意見書及び手続補正書が提出され、令和２年３月１８日付けで最後の拒絶の理由が通知され、同年５月７日に意見書及び手続補正書が提出されたところ、同年８月１８日付け（送達日：同年８月２６日）で、同年５月７日付け手続補正が却下されるとともに拒絶査定（以下「原査定」という。）がなされ、それに対して、同年９月２５日に拒絶査定不服審判の請求がなされると同時に手続補正がなされたものである。
第２　令和２年９月２５日に提出された手続補正書による補正の却下の決定
〔補正の却下の決定の結論〕
　令和２年９月２５日に提出された手続補正書による補正（以下「本件補正」という。）を却下する。
〔理由〕
１　本件補正の内容
（１）本件補正は、特許請求の範囲についてする補正を含むものであって、令和１年１０月３０日に提出された手続補正書によって補正された本件補正前の請求項１に、
「　遊技球が流下可能な遊技領域と、
　前記遊技領域を流下する遊技球が入球可能な入賞口と、
　所定の実行条件の成立により、遊技者に有利な遊技利益を付与可能な特別遊技を実行する特別遊技実行手段と、
　前記特別遊技中に実行される演出を制御可能な制御手段と、を備え、
　前記特別遊技中に実行される演出として、前記特別遊技中に開始され得る特定期間において視認可能に実行される第１演出と、前記第１演出と異なる演出であって前記入賞口への遊技球の入球に基づく所定条件が成立すると通常音声とは異なる特定音声を聴認可能に出力する第２演出と、を少なくとも備えた遊技機であって、
　前記入賞口は、前記特別遊技中に開放されて遊技球が入球可能となるものであり、
　前記第２演出は、開放された前記入賞口に予め定められた個数を超えた遊技球が入球したことを条件として、前記特定音声を出力するものであり、
　前記制御手段は、
　前記特定期間において前記第２演出における前記特定音声を聴認不能に制御可能であることを特徴とする遊技機。」とあったものを、
「　遊技球が流下可能な遊技領域と、
　前記遊技領域を流下する遊技球が入球可能な入賞口と、
　所定の実行条件の成立により、遊技者に有利な遊技利益を付与可能な特別遊技を実行する特別遊技実行手段と、
　前記特別遊技中に実行される演出を制御可能な制御手段と、を備え、
　前記特別遊技中に実行される演出として、前記特別遊技中に開始され得る特定期間において視認可能に実行される第１演出と、前記第１演出と異なる演出であって前記入賞口への遊技球の入球に基づ
き、通常音声または当該
　前記入賞口は、前記特別遊技中に開放されて遊技球が入球可能となるものであり、
　前記第２演出は、開放された前記入賞口に予め定められた個数
の遊技球が入球するまでは前記通常音声を、当該予め定められた個数
してからは
可能に構成されており、
　
前記特定期間は、一の前記特別遊技の実行中に、互いに重複しないよう異なるタイミングで複数回開始され得るものであり、
　前記制御手段は、
　
前記一の前記特別遊技において複数回開始され得る
（２）本件補正後の請求項１に係る上記（１）の補正は、次の補正事項からなる。
　ア　本件補正前の請求項１に係る発明を特定するために必要な事項である「第２演出」に関して、「前記入賞口への遊技球の入球に基づく所定条件が成立すると通常音声とは異なる特定音声を聴認可能に出力する」を、「前記入賞口への遊技球の入球に基づき、通常音声または当該通常音声とは異なる特定音声を聴認可能に出力する」とする補正。
　イ　本件補正前の請求項１に係る発明を特定するために必要な事項である「第２演出」に関して、「開放された前記入賞口に予め定められた個数を超えた遊技球が入球したことを条件として、前記特定音声を出力するものであり」を、「開放された前記入賞口に予め定められた個数の遊技球が入球するまでは前記通常音声を、当該予め定められた個数を超えた遊技球が入球してからは前記特定音声を出力可能に構成されており」とする補正。
　ウ　本件補正前の請求項１に係る発明を特定するために必要な事項である「特定期間」に関して、「特定期間は、一の前記特別遊技の実行中に、互いに重複しないよう異なるタイミングで複数回開始され得るものであり」とする補正。
　エ　本件補正前の請求項１に係る発明を特定するために必要な事項である「特定期間」に関して、「前記一の前記特別遊技において複数回開始され得る」を付加する補正。
２　本件補正の目的、新規事項追加の有無
（１）上記「１（２）ア及びイ」の補正は、願書に最初に添付された特許請求の範囲、明細書及び図面（以下「当初明細書等」という。）の【０１９２】、図３９及び図４０等の記載に基づいて、本件補正前の請求項１において記載されていた「第２演出」において、「通常音声または当該通常音声とは異なる特定音声を聴認可能に出力する」こと、及び「開放された前記入賞口に予め定められた個数の遊技球が入球するまでは前記通常音声を」「出力可能に構成されて」いることを限定するものである。
（２）上記「１（２）ウ及びエ」の補正は、当初明細書等の【０１９３】〜【０１９９】、【０２３７】、図３９及び図４０等の記載に基づいて、本件補正前の請求項１において記載されていた「特定期間」が、「一の前記特別遊技の実行中に、互いに重複しないよう異なるタイミングで複数回開始され得るものであ」ること、及び「前記一の前記特別遊技において複数回開始され得る」ことを限定するものである。
（３）以上のとおり、本件補正後の請求項１に係る上記「１（２）」の補正は、新規事項を追加するものではないから、特許法第１７条の２第３項に規定する要件を満たす。また、本件補正後の請求項１に係る上記「１（２）」の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
（１）本願補正発明
　本願補正発明を再掲すると、次のとおりのものである。なお、記号ＡないしＪは、分説するため合議体が付した。
「Ａ　遊技球が流下可能な遊技領域と、
Ｂ　前記遊技領域を流下する遊技球が入球可能な入賞口と、
Ｃ　所定の実行条件の成立により、遊技者に有利な遊技利益を付与可能な特別遊技を実行する特別遊技実行手段と、
Ｄ　前記特別遊技中に実行される演出を制御可能な制御手段と、を備え、
Ｅ　前記特別遊技中に実行される演出として、
Ｅ１　前記特別遊技中に開始され得る特定期間において視認可能に実行される第１演出と、
Ｅ２　前記第１演出と異なる演出であって前記入賞口への遊技球の入球に基づき、通常音声または当該通常音声とは異なる特定音声を聴認可能に出力する第２演出と、を少なくとも備えた遊技機であって、
Ｆ　前記入賞口は、前記特別遊技中に開放されて遊技球が入球可能となるものであり、
Ｇ　前記第２演出は、開放された前記入賞口に予め定められた個数の遊技球が入球するまでは前記通常音声を、当該予め定められた個数を超えた遊技球が入球してからは前記特定音声を出力可能に構成されており、
Ｈ　前記特定期間は、一の前記特別遊技の実行中に、互いに重複しないよう異なるタイミングで複数回開始され得るものであり、
Ｉ　前記制御手段は、
　前記一の前記特別遊技において複数回開始され得る前記特定期間において前記第２演出における前記特定音声を聴認不能に制御可能である
Ｊ　ことを特徴とする遊技機。」
（２）引用例（先願）
　原査定の拒絶の理由に引用され、本願の出願日前の特許出願であって、本願の出願後に出願公開された特願２０１５−７７８８４号（特開２０１６−１９５７２９号）（出願日：平成２７年４月６日、出願人：京楽産業．株式会社、発明者：渡辺直幸）（以下「先願」という。）には、　「遊技機」に関し、次の事項が図とともに記載されている（下線は合議体が付した。）。
　ア「【００１２】
　図１に例示されるように、
パチンコ遊技機１
遊技球が流下可能な遊技領域１０
　イ「【００１７】
　
遊技領域１０に打ち出された遊技球は、遊技盤２に沿って流下する過程で、
第１大入賞口１３
及び第２大入賞口１９
入球して入賞し得る
　ウ「【００２０】
　第１大入賞口１３は、特別図柄判定の結果に応じて開放される。この第１大入賞口１３の開口部には、第１大入賞口１３を開閉するプレートが設けられている。第１大入賞口１３は、通常はこのプレートによって閉塞されている。これに対して、特別図柄判定の判定結果が「大当たり」であることを示す所定の大当たり図柄が表示器４に停止表示された場合、上記プレートを作動させて第１大入賞口１３を開放する大当たり遊技が実行される。大当たり遊技中は、所定条件（本実施形態では、第１大入賞口１３への９個の遊技球の入賞、又は第１大入賞口１３が開放されてから２９．５秒の経過）を満たすまで第１大入賞口１３が開放状態に維持されてから閉塞されるラウンド遊技が所定回数実行される。このため、
遊技者は、大当たり遊技中に
多くの賞球を得ることができる
　エ「【００２７】
　
液晶表示装置５は、演出画像を表示する
液晶表示装置５の表示画面は、遊技者によって視認され易い位置に設けられている
　オ「【０１８５】
　本実施形態におけるパチンコ遊技機１では、長開放ラウンド遊技が行われることによって
第１大入賞口１３
又は第２大入賞口１９
が長開放されている間に、９個を超える遊技球が第１大入賞口１３
又は第２大入賞口１９
にオーバー入賞すると、オーバー入賞音が出力される
　カ「【０２０３】
　［第１始動口１１への入賞に係る大当たり遊技中に行われる演出］ 次に、図１６を参照しつつ、第１始動口１１への入賞に係る
大当たり遊技中に行われる演出
・・・
【０２０５】
　具体的には、例えば、１３Ｒ目のラウンド遊技が開始されるのに伴って、Ｖ領域１９５が開放されるか否かを遊技者に暗示させるゲーム演出が行われる（図１６（Ａ）及び（Ｂ）参照）。このゲーム演出は、大当たりの種類（短開放当たり又は長開放当たり）にかかわらず同様の演出態様で行われる。例えば、ゲーム演出としては、所定のゲームに成功するか否かの演出が行われたり、所定のキャラクタと敵キャラクタが対戦し所定のキャラクタの攻撃が成功するか否かの演出が行われたりする。そして、１３Ｒ目のラウンド遊技終了後にゲーム演出が終了すると、１４Ｒ目のラウンド遊技の開始に伴ってゲーム演出の結果としての結果報知演出が行われる。ここで、結果報知演出では、Ｖ入賞が容易ではない（すなわち、大当たり遊技終了後に確変遊技状態にならない）ことを報知する失敗報知、又はＶ入賞が容易である（すなわち、大当たり遊技終了後に確変遊技状態になる）ことを報知する成功報知が行われる。例えば、結果報知演出（失敗報知）実行中には「失敗」というメッセージをが表示されたり（図１７（Ｂ）参照）、
結果報知演出
実行中には「成功！」というメッセージ
が
表示され
・・・
【０２０７】
　一方、大当たりの種類が長開放当たりの場合、
１４Ｒ目のラウンド遊技の開始に伴って結果報知演出（成功報知）が行われる（図１６（Ｂ）参照）。そして、１４Ｒ目のラウンド遊技終了後に結果報知演出（成功報知）が終了すると、１５Ｒ目のラウンド遊技の開始に伴ってＶ入賞前報知演出が行われる
Ｖ入賞前報知演出では、
「ＯＰＥＮ！狙え！」というメッセージが表示される
【０２０８】
　
１５Ｒ目のラウンド遊技において長開放されたＶ領域１９５にＶ入賞した場合、Ｖ入賞に応じたタイミングでＶ入賞前報知演出が終了して、Ｖ入賞報知演出が行われ
Ｖ入賞報知演出では、
「Ｖ」といったＶ入賞を報知するＶ入賞報知画像が表示画面に表示され
Ｖ入賞報知演出は、１５Ｒ目のラウンド遊技の途中から、１６Ｒ目のラウンド遊技が終了した後に到来するエンディング期間の開始時まで行われる
　キ「【０２１３】
　一方、
結果報知演出
では、
オーバー入賞音の出力よりも結果報知演出
を優先して実行する
Ｖ入賞前報知演出は、
オーバー入賞音の出力よりもＶ入賞前報知演出を優先して実行する
　ク「【０２４２】
　ゲーム演出が終了すると、１４Ｒ目のラウンド遊技の開始に伴い、
結果報知演出
オーバー入賞に伴ってオーバー入賞音は出力されない
・・・
【０２４４】
　その後、Ｖ領域１９５が開放されてＶ入賞すると、Ｖ入賞前報知演出が終了するのに伴い、大当たり遊技終了後の確変遊技状態への移行が確定したことを報知するＶ入賞報知演出が実行される。このＶ入賞報知演出は、１５Ｒ目のラウンド遊技終了後に行われる１６Ｒ目のラウンド遊技終了後のエンディング期間開始時まで行われる。
Ｖ入賞報知演出では、
オーバー入賞に伴ってオーバー入賞音は出力されない
　ケ「【０２５０】
　また、他の実施形態では、
オーバー入賞したときに限らず、第１大入賞口１３
又は第２大入賞口１９
に遊技球が入賞したことに応じて、音を出力
させてもよい
　コ「【０２６１】
　［遊技制御基板１００の構成例］ 
遊技制御基板１００は、メインＣＰＵ１０１
を備えている
　サ「【０２６７】
　
メインＣＰＵ１０１は、第１始動口スイッチ１１１からの検知信号が入力されたタイミングで取得情報としての各種乱数を取得し、取得した乱数を用いて第１特別図柄判定を実行する。また、第２始動口スイッチ１１２からの検知信号が入力されたタイミングで取得情報としての各種乱数を取得し、取得した乱数を用いて第２特別図柄判定を実行する
大当たりであると判定した場合には、第１大入賞口制御部１１９及び第２大入賞口制御部１２０を介して第１大入賞口１３及び第２大入賞口１９を開閉して大当たり遊技を実行する
　シ「【０２７０】
　［演出制御基板１３０の構成例］ 
演出制御基板１３０は、サブＣＰＵ１３１
を備えている
【０２７１】
　
サブＣＰＵ１３１は、遊技制御基板１００から送信される
大当たり遊技等に関する遊技情報に基づいて演出内容を設定する
サブＣＰＵ１３１は、設定した演出内容の演出の実行
　ス「【０５４８】
　［変形例］ 上記実施形態では、図３６〜図４１に示す処理を演出制御基板１３０が、図４２〜図４７に示す処理を画像音響制御基板１４０が行うものとして説明した。他の実施形態では、
これらの処理の
全部を、演出制御基板１３０
において実行してもよい
　セ「【図１６】
　
」
　ソ　【０２０７】には、「１４Ｒ目のラウンド遊技の開始に伴って結果報知演出（成功報知）が行われる（図１６（Ｂ）参照）。そして、１４Ｒ目のラウンド遊技終了後に結果報知演出（成功報知）が終了すると、１５Ｒ目のラウンド遊技の開始に伴ってＶ入賞前報知演出が行われる」と記載され、図１６（Ｂ）には、「結果報知演出（成功報知）」が、１４Ｒの開始に伴って行われ、１５Ｒの開始に伴って終了していることが示されている。
　よって、先願明細書には、「結果報知演出（成功報知）は、１４Ｒ目のラウンド遊技の開始から、１５Ｒ目のラウンド遊技が開始するまでの期間に行われる」ことが記載されていると認められる。
　タ　【０２０７】には、「１５Ｒ目のラウンド遊技の開始に伴ってＶ入賞前報知演出が行われる」と記載され、【０２０８】には、「１５Ｒ目のラウンド遊技において長開放されたＶ領域１９５にＶ入賞した場合、Ｖ入賞に応じたタイミングでＶ入賞前報知演出が終了」することが記載されている。
　よって、先願明細書には、「Ｖ入賞前報知演出は、１５Ｒ目のラウンド遊技の開始に伴って行われ、１５Ｒ目のラウンド遊技において長開放されたＶ領域１９５にＶ入賞した場合、Ｖ入賞に応じたタイミングで終了するまでの期間に行われる」ことが記載されていると認められる。
　チ　【０２０８】には、「１５Ｒ目のラウンド遊技において長開放されたＶ領域１９５にＶ入賞した場合、Ｖ入賞に応じたタイミングでＶ入賞前報知演出が終了して、Ｖ入賞報知演出が行われる」、「Ｖ入賞報知演出は、１５Ｒ目のラウンド遊技の途中から、１６Ｒ目のラウンド遊技が終了した後に到来するエンディング期間の開始時まで行われる」と記載されている。
　よって、先願明細書には、「Ｖ入賞報知演出は、１５Ｒ目のラウンド遊技において長開放されたＶ領域１９５にＶ入賞した場合、Ｖ入賞に応じたタイミングで行われ、１６Ｒ目のラウンド遊技が終了した後に到来するエンディング期間の開始時までの期間に行われる」ことが記載されていると認められる。
　上記ア〜チからみて、先願には、次の発明（以下「先願発明」という。）が記載されている。なお、ａないしｊについては本願補正発明のＡないしＪに対応させて付与し、引用箇所の段落番号等を併記した。
「ａ　遊技球が流下可能な遊技領域１０と（【００１２】）、
ｂ　遊技領域１０に打ち出された遊技球が、遊技盤２に沿って流下する過程で、入球して入賞し得る第１大入賞口１３及び第２大入賞口１９と（【００１７】）、
ｃ、ｆ　第１始動口スイッチ１１１からの検知信号が入力されたタイミングで取得情報としての各種乱数を取得し、取得した乱数を用いて第１特別図柄判定を実行し、また、第２始動口スイッチ１１２からの検知信号が入力されたタイミングで取得情報としての各種乱数を取得し、取得した乱数を用いて第２特別図柄判定を実行し、大当たりであると判定した場合には、第１大入賞口制御部１１９及び第２大入賞口制御部１２０を介して第１大入賞口１３及び第２大入賞口１９を開閉して、遊技者が多くの賞球を得ることができる大当たり遊技を実行する遊技制御基板１００のメインＣＰＵ１０１と（【００２０】、【０２６１】、【０２６７】）、
ｄ　遊技制御基板１００から送信される大当たり遊技に関する遊技情報に基づいて演出内容を設定し、実行する演出制御基板１３０のサブＣＰＵ１３１と（【０２７０】、【０２７１】、【０５４８】）、
　を備えたパチンコ遊技機１（【００１２】）であって、
ｅ、ｇ、ｈ　演出制御基板１３０のサブＣＰＵ１３１が、大当たり遊技中に行う演出として（【０２０３】、【０２７１】、【０５４８】）、
　１４Ｒ目のラウンド遊技の開始から、１５Ｒ目のラウンド遊技が開始するまでの期間において行われる演出であって、「成功！」というメッセージが表示される結果報知演出と（【０２０５】、認定事項ソ）、
　１５Ｒ目のラウンド遊技の開始に伴って行われ、１５Ｒ目のラウンド遊技において長開放されたＶ領域１９５にＶ入賞した場合、Ｖ入賞に応じたタイミングで終了するまでの期間に行われる演出であって、「ＯＰＥＮ！狙え！」というメッセージが表示されるＶ入賞前報知演出と（【０２０７】、認定事項タ）、
　１５Ｒ目のラウンド遊技において長開放されたＶ領域１９５にＶ入賞した場合、Ｖ入賞に応じたタイミングで行われ、１６Ｒ目のラウンド遊技が終了した後に到来するエンディング期間の開始時までの期間に行われる演出であって、「Ｖ」といったＶ入賞を報知するＶ入賞報知画像が表示画面に表示されるＶ入賞報知演出（【０２０８】、認定事項チ）があり、
　演出画像を表示する液晶表示装置５の表示画面は、遊技者によって視認され易い位置に設けられており（【００２７】）、
　また、演出制御基板１３０のサブＣＰＵ１３１は、大当たり遊技中に（【０２０３】、【０２７１】、【０５４８】）、
　第１大入賞口１３又は第２大入賞口１９が長開放されている間に、９個を超える遊技球が第１大入賞口１３又は第２大入賞口１９にオーバー入賞すると、オーバー入賞音を出力し（【０１８５】）、
　オーバー入賞したときに限らず、第１大入賞口１３又は第２大入賞口１９に遊技球が入賞したことに応じて、音を出力するものであり（【０２５０】）、
ｉ　演出制御基板１３０のサブＣＰＵ１３１は（【０２０３】、【０２７１】、【０５４８】）、
　１４Ｒ目のラウンド遊技の開始から、１５Ｒ目のラウンド遊技が開始するまでの期間に行われる結果報知演出では、オーバー入賞音の出力よりも結果報知演出を優先して実行し、オーバー入賞に伴ってオーバー入賞音は出力せず（認定事項ソ、【０２１３】、【０２４２】）、
　１５Ｒ目のラウンド遊技の開始に伴って行われ、１５Ｒ目のラウンド遊技において長開放されたＶ領域１９５にＶ入賞した場合、Ｖ入賞に応じたタイミングで終了するまでの期間に行われるＶ入賞前報知演出では、オーバー入賞音の出力よりもＶ入賞前報知演出を優先して実行し（認定事項タ、【０２１３】）、
　１５Ｒ目のラウンド遊技において長開放されたＶ領域１９５にＶ入賞した場合、Ｖ入賞に応じたタイミングで行われ、１６Ｒ目のラウンド遊技が終了した後に到来するエンディング期間の開始時までの期間に行われるＶ入賞報知演出では、オーバー入賞に伴ってオーバー入賞音は出力しない（認定事項チ、【０２４４】）
ｊ　パチンコ遊技機１（【００１２】）。」
（３）対比・判断
ア　本願補正発明と先願発明とを対比する。なお、以下の見出し（ａ）ないし（ｊ）は、本願補正発明のＡないしＪに対応させている。
（ａ）先願発明の構成ａは、本願補正発明の構成Ａに相当する。
（ｂ）先願発明の「第１大入賞口１３及び第２大入賞口１９」は、本願補正発明の「入賞口」に相当する。
　よって、先願発明の構成ｂは、本願補正発明の構成Ｂに相当する。
（ｃ）先願発明の「第１始動口スイッチ１１１からの検知信号が入力されたタイミングで取得情報としての各種乱数を取得し、取得した乱数を用いて第１特別図柄判定を実行し、また、第２始動口スイッチ１１２からの検知信号が入力されたタイミングで取得情報としての各種乱数を取得し、取得した乱数を用いて第２特別図柄判定を実行し、大当たりであると判定した場合」は、本願補正発明の「所定の実行条件の成立」に相当する。
　また、先願発明の「遊技者が多くの賞球を得ることができる大当たり遊技を実行する」ことは、本願補正発明の「遊技者に有利な遊技利益を付与可能な特別遊技を実行する」ことに相当する。
　よって、先願発明の「遊技制御基板１００のメインＣＰＵ１０１」は、本願補正発明の構成Ｃの「特別遊技実行手段」の機能を備える。
（ｄ）先願発明の「遊技制御基板１００から送信される大当たり遊技に関する遊技情報に基づいて演出内容を設定し、実行する」ことは、本願補正発明の「前記特別遊技中に実行される演出を制御可能」であることに相当する。
　よって、先願発明の「演出制御基板１３０のサブＣＰＵ１３１」は、本願補正発明の構成Ｄの「制御手段」の機能を備える。
（ｅ、ｅ１）先願発明の「結果報知演出」が行われる「１４Ｒ目のラウンド遊技の開始から、１５Ｒ目のラウンド遊技が開始するまでの期間」、「Ｖ入賞前報知演出」が行われる「１５Ｒ目のラウンド遊技の開始」から「１５Ｒ目のラウンド遊技において長開放されたＶ領域１９５にＶ入賞した場合、Ｖ入賞に応じたタイミングで終了するまでの期間」及び「Ｖ入賞報知演出」が行われる「１５Ｒ目のラウンド遊技において長開放されたＶ領域１９５にＶ入賞した場合、Ｖ入賞に応じたタイミング」から「１６Ｒ目のラウンド遊技が終了した後に到来するエンディング期間の開始時までの期間」は、いずれも、「大当たり遊技中」に開始される「期間」といえるから、それぞれ、本願補正発明の「前記特別遊技中に開始され得る特定期間」に相当する。
　そして、先願発明の「「成功！」というメッセージが表示される結果報知演出」、「「ＯＰＥＮ！狙え！」というメッセージが表示されるＶ入賞前報知演出」及び「「Ｖ」といったＶ入賞を報知するＶ入賞報知画像が表示画面に表示されるＶ入賞報知演出」は、視認可能に行われる演出である。
　そうすると、先願発明の「大当たり遊技中に行う演出」である、「結果報知演出」、「Ｖ入賞前報知演出」及び「Ｖ入賞報知演出」は、いずれも、「前記特別遊技中に開始され得る特定期間において視認可能に実行される」演出といえるから、本願補正発明の「第１演出」に相当する。
　よって、先願発明は、本願補正発明の構成Ｅ、Ｅ１を備える。
（ｅ、ｅ２、ｇ）先願発明の「第１大入賞口１３又は第２大入賞口１９が長開放されている間に、９個を超える遊技球が第１大入賞口１３又は第２大入賞口１９にオーバー入賞すると、オーバー入賞音を出力」すること、及び、「オーバー入賞したときに限らず、第１大入賞口１３又は第２大入賞口１９に遊技球が入賞したことに応じて、音を出力」することは、いずれも「第１大入賞口１３又は第２大入賞口１９に」「入賞」したことに応じて、「音」を「出力」するものであり、「メッセージ」や「画像」を「表示」する「結果報知演出」、「Ｖ入賞前報知演出」及び「Ｖ入賞報知演出」とは異なる演出であることは明らかであるから、本願補正発明の「前記第１演出と異なる演出であって前記入賞口への遊技球の入球に基づき」、「音声を聴認可能に出力する」「演出」に相当する。
　また、先願発明の「オーバー入賞音」は、「第１大入賞口１３又は第２大入賞口１９が長開放されている間に、９個を超える遊技球が第１大入賞口１３又は第２大入賞口１９にオーバー入賞すると」「出力」されるから、本願補正発明の「開放された前記入賞口に」「予め定められた個数を超えた遊技球が入球してから」「出力」される「音声」に相当する。
　そして、先願発明の「オーバー入賞したときに限らず、第１大入賞口１３又は第２大入賞口１９に遊技球が入賞したことに応じて」「出力」される「音」は、「第１大入賞口１３又は第２大入賞口１９に」「遊技球が」「９個」入賞するまで「出力」される「音」といえるから、本願補正発明の「開放された前記入賞口に予め定められた個数の遊技球が入球するまで」「出力」される「音声」に相当する。
　そうすると、先願発明の「大当たり遊技中に」、「第１大入賞口１３又は第２大入賞口１９が長開放されている間に、９個を超える遊技球が第１大入賞口１３又は第２大入賞口１９にオーバー入賞すると、オーバー入賞音を出力し、オーバー入賞したときに限らず、第１大入賞口１３又は第２大入賞口１９に遊技球が入賞したことに応じて、音を出力する」ことは、本願補正発明の構成Ｅ、Ｅ２と「前記特別遊技中に実行される演出として」、「前記第１演出と異なる演出であって前記入賞口への遊技球の入球に基づき」、「音声を聴認可能に出力する」「演出」を備える点で共通し、本願補正発明の構成Ｇと「前記」「演出」は、「開放された前記入賞口に予め定められた個数の遊技球が入球するまでは」「音声を、当該予め定められた個数を超えた遊技球が入球してからは」「音声を出力可能に構成されて」いる点で共通する。
（ｆ）上記（ｂ）（ｃ）より、先願発明の「第１大入賞口１３及び第２大入賞口１９」、「大当たり遊技」は、それぞれ、本願補正発明の「入賞口」、「特別遊技」に相当する。
　先願発明の「第１大入賞口１３及び第２大入賞口１９」は、「開閉して」、「大当たり遊技を実行する」ものであり、「遊技球が」、「入球して入賞し得る」ものであるから、本願補正発明の「前記特別遊技中に開放されて遊技球が入球可能となる」「入賞口」に相当する。
　よって、先願発明は、本願発明の構成Ｆを備える。
（ｈ）上記（ｅ、ｅ１）より、先願発明の「１４Ｒ目のラウンド遊技の開始から、１５Ｒ目のラウンド遊技が開始するまでの期間」、「１５Ｒ目のラウンド遊技の開始」から「１５Ｒ目のラウンド遊技において長開放されたＶ領域１９５にＶ入賞した場合、Ｖ入賞に応じたタイミングで終了するまでの期間」及び「１５Ｒ目のラウンド遊技において長開放されたＶ領域１９５にＶ入賞した場合、Ｖ入賞に応じたタイミング」から「１６Ｒ目のラウンド遊技が終了した後に到来するエンディング期間の開始時までの期間」は、それぞれ、本願補正発明の「特定期間」に相当する。
　そして、先願発明のこれらの「期間」は、「大当たり遊技中」の互いに重複しない「期間」であり、その「期間」が開始されるタイミングも異なるタイミングであることは明らかであるから、本願補正発明の「一の前記特別遊技の実行中に、互いに重複しないよう異なるタイミングで複数回開始され得る」「特定期間」に相当する。
　よって、先願発明は、本願補正発明の構成Ｈを備える。
（ｉ）上記（ｈ）より、先願発明の「１４Ｒ目のラウンド遊技の開始から、１５Ｒ目のラウンド遊技が開始するまでの期間」、「１５Ｒ目のラウンド遊技の開始」から「１５Ｒ目のラウンド遊技において長開放されたＶ領域１９５にＶ入賞した場合、Ｖ入賞に応じたタイミングで終了するまでの期間」及び「１５Ｒ目のラウンド遊技において長開放されたＶ領域１９５にＶ入賞した場合、Ｖ入賞に応じたタイミング」から「１６Ｒ目のラウンド遊技が終了した後に到来するエンディング期間の開始時までの期間」は、それぞれ、本願補正発明の「特定期間」に相当する。
　また、本願発明の「特定音声」は、構成Ｇより、「開放された前記入賞口に」「予め定められた個数を超えた遊技球が入球してから」「出力可能に構成されて」いるものである。
　そうすると、先願発明の「第１大入賞口１３又は第２大入賞口１９が長開放されている間に、９個を超える遊技球が第１大入賞口１３又は第２大入賞口１９にオーバー入賞すると」「出力」される「オーバー入賞音」は、本願補正発明の「特定音声」に相当する。
　そして、先願発明は「１４Ｒ目のラウンド遊技の開始から、１５Ｒ目のラウンド遊技が開始するまでの期間（「特定期間」に相当。）に行われる結果報知演出では、オーバー入賞音の出力よりも結果報知演出を優先して実行し、オーバー入賞に伴ってオーバー入賞音（「特定音声」に相当。）は出力せず」、「１５Ｒ目のラウンド遊技において長開放されたＶ領域１９５にＶ入賞した場合、Ｖ入賞に応じたタイミングで行われ、１６Ｒ目のラウンド遊技が終了した後に到来するエンディング期間の開始時までの期間（「特定期間」に相当。）に行われるＶ入賞報知演出では、オーバー入賞に伴ってオーバー入賞音（「特定音声」に相当。）は出力しない」ことから、「オーバー入賞音（「特定音声」に相当。）の出力よりもＶ入賞前報知演出を優先して実行」する「１５Ｒ目のラウンド遊技の開始に伴って行われ、１５Ｒ目のラウンド遊技において長開放されたＶ領域１９５にＶ入賞した場合、Ｖ入賞に応じたタイミングで終了するまでの期間（「特定期間」に相当。）に行われるＶ入賞前報知演出」においても同様に、オーバー入賞に伴ってオーバー入賞音（「特定音声」に相当。）は出力しないようにするものと認められ、先願発明は、本願補正発明の「前記一の前記特別遊技において複数回開始され得る前記特定期間において前記第２演出における前記特定音声を聴認不能に制御可能」な構成を備えているといえる。
　よって、先願発明は、本願補正発明の構成Ｉを備える。
（ｊ）先願発明は、本願補正発明の構成Ｊを備える。
　以上のことから、本願補正発明と先願発明は、
「Ａ　遊技球が流下可能な遊技領域と、
Ｂ　前記遊技領域を流下する遊技球が入球可能な入賞口と、
Ｃ　所定の実行条件の成立により、遊技者に有利な遊技利益を付与可能な特別遊技を実行する特別遊技実行手段と、
Ｄ　前記特別遊技中に実行される演出を制御可能な制御手段と、を備え、
Ｅ　前記特別遊技中に実行される演出として、
Ｅ１　前記特別遊技中に開始され得る特定期間において視認可能に実行される第１演出と、
Ｅ２’前記第１演出と異なる演出であって前記入賞口への遊技球の入球に基づき、音声を聴認可能に出力する演出と、を少なくとも備えた遊技機であって、
Ｆ　前記入賞口は、前記特別遊技中に開放されて遊技球が入球可能となるものであり、
Ｇ’前記演出は、開放された前記入賞口に予め定められた個数の遊技球が入球するまでは音声を、当該予め定められた個数を超えた遊技球が入球してからは音声を出力可能に構成されており、
Ｈ　前記特定期間は、一の前記特別遊技の実行中に、互いに重複しないよう異なるタイミングで複数回開始され得るものであり、
Ｉ　前記制御手段は、
　前記一の前記特別遊技において複数回開始され得る前記特定期間において前記第２演出における前記特定音声を聴認不能に制御可能である
Ｊ　ことを特徴とする遊技機。」である点で一致し、以下の点で一応相違する。
［相違点］（構成Ｅ、Ｅ２、Ｇ）
　「特別遊技中に実行される演出として」、
　本願補正発明は「前記入賞口への遊技球の入球に基づき、通常音声または当該通常音声とは異なる特定音声を聴認可能に出力する第２演出」を備え、
　「前記第２演出は、開放された前記入賞口に予め定められた個数の遊技球が入球するまでは前記通常音声を、当該予め定められた個数を超えた遊技球が入球してからは前記特定音声を出力可能に構成されて」いるのに対し、
　先願発明は「第１大入賞口１３又は第２大入賞口１９が長開放されている間に、９個を超える遊技球が第１大入賞口１３又は第２大入賞口１９にオーバー入賞すると、オーバー入賞音を出力し、
　オーバー入賞したときに限らず、第１大入賞口１３又は第２大入賞口１９に遊技球が入賞したことに応じて、音を出力する」としている点、すなわち、「オーバー入賞したときに限らず、第１大入賞口１３又は第２大入賞口１９に遊技球が入賞したことに応じて」「出力」される「音」と「オーバー入賞音」が異なる「音」であるか否か特定されていない点。
　上記相違点について検討する。
　大入賞口への遊技球の入賞に伴って音を出力する演出において、オーバー入賞したときに限らず、大入賞口に遊技球が入賞したときに出力する音（以下「通常の入賞音」という。）とオーバー入賞音は、同じ音とするか異なる音とするかの二者択一でしかないから、上記相違点は、実質的な相違点とはいえない。
　遊技機の技術分野において、大入賞口への遊技球の入賞に伴って音を出力する演出において、通常の入賞音とオーバー入賞音を異なる音とすることは周知でもある（必要があれば、特開２０１６−５２４５６号公報（通常入賞音とオーバー入賞音とは、異なる楽曲で構成された演出音であるパチンコ遊技機１が記載されている（【００２０】、【０２６３】）。）、特開２０１６−３６６０２号公報（大入賞口２３へのオーバー入賞ではない通常の遊技球入賞が発生すると、オーバー入賞音とは異なる通常の入賞音が出力されるパチンコ遊技機１が記載されている（【００１１】、【０２５０】）。）等参照されたい。）。
　よって、本願補正発明と先願発明は実質同一である。
　
イ　請求人の主張について
　請求人は、令和２年９月２５日提出の審判請求書において、次の主張をしている。
「（４）引用文献に記載された発明の説明
　・・・
　ここで、上記補正後の請求項１に係る発明においては、「特定期間は、一の前記特別遊技の実行中に、互いに重複しないよう異なるタイミングで複数回開始され」る点、および、「制御手段は、前記一の前記特別遊技において複数回開始され得る前記特定期間において前記第２演出における前記特定音声を聴認不能に制御可能」である点が明確になっております。
　この点、引用文献１における結果報知演出は大当たり遊技中の規定のラウンド（例えば１４ラウンド目）でのみ行われるものとなっており、一の大当たり遊技中に複数回の結果報知演出を行う例示やそのようにしてもよい等の示唆は何ら記載されておりません。また、それゆえ、当然のことながら、一の大当たり遊技中に複数回、特定音声が聴認不能に制御される点についても何ら開示されておりません。」
　しかしながら、上記「ア（ｈ）」において検討したように、先願発明の「１４Ｒ目のラウンド遊技の開始から、１５Ｒ目のラウンド遊技が開始するまでの期間」、「１５Ｒ目のラウンド遊技の開始」から「１５Ｒ目のラウンド遊技において長開放されたＶ領域１９５にＶ入賞した場合、Ｖ入賞に応じたタイミングで終了するまでの期間」及び「１５Ｒ目のラウンド遊技において長開放されたＶ領域１９５にＶ入賞した場合、Ｖ入賞に応じたタイミング」から「１６Ｒ目のラウンド遊技が終了した後に到来するエンディング期間の開始時までの期間」は、本願補正発明の「一の前記特別遊技の実行中に、互いに重複しない異なるタイミングで複数回開始され得る」「特定期間」に相当するものである。
　そして、本願発明の「第１演出」は、発明の詳細な説明の【０１９０】等の記載によれば、「特別遊技が開始された旨を示す表示」や「上乗せ報知演出」といった、異なる演出を含むものであるから、先願発明の上記の各期間に実行される「結果報知演出」、「Ｖ入賞前報知演出」、「Ｖ入賞報知演出」は、いずれも、本願発明の「前記特別遊技中に開始され得る特定期間において視認可能に実行される第１演出」に相当する。
　よって、先願明細書等に「一の大当たり遊技中に複数回の結果報知演出を行う例示やそのようにしてもよい等の示唆は何ら記載されて」いないからといって、先願発明が「前記一の前記特別遊技において複数回開始され得る前記特定期間」を備えていないとはいえない。
　また、先願発明は、上記「ア（ｉ）」において検討したように、本願補正発明の「特定期間」に相当する「期間」において、「オーバー入賞音」を出力しないものである。
　そうすると、先願発明も、一の大当たり遊技中に複数回、特定音声が聴認不能に制御されるといえるから、この主張は採用できない。
（４）独立特許要件のむすび
　以上のとおりであるから、本願補正発明は、先願に記載された発明と同一である。また、本件出願の発明者が先願の発明者と同一ではなく、また、本件の出願の時に、本件の出願人と先願の出願人とが同一でもない。
　よって、本願補正発明は、特許法第２９条の２の規定により、特許出願の際独立して特許を受けることができないものである。
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下するものである。
 
第３　本願発明について
１　本願発明
　本件補正は上記第２のとおり却下されたので、本願の請求項１に係る発明（以下「本願発明」という。）は、令和１年１０月３０日に提出された次のとおりのものである。なお、記号ＡないしＪは、分説するため合議体が付した。
「Ａ　遊技球が流下可能な遊技領域と、
Ｂ　前記遊技領域を流下する遊技球が入球可能な入賞口と、
Ｃ　所定の実行条件の成立により、遊技者に有利な遊技利益を付与可能な特別遊技を実行する特別遊技実行手段と、
Ｄ　前記特別遊技中に実行される演出を制御可能な制御手段と、を備え、
Ｅ１　前記特別遊技中に実行される演出として、前記特別遊技中に開始され得る特定期間において視認可能に実行される第１演出と、
Ｅ２’前記第１演出と異なる演出であって前記入賞口への遊技球の入球に基づく所定条件が成立すると通常音声とは異なる特定音声を聴認可能に出力する第２演出と、を少なくとも備えた遊技機であって、
Ｆ　前記入賞口は、前記特別遊技中に開放されて遊技球が入球可能となるものであり、
Ｇ’前記第２演出は、開放された前記入賞口に予め定められた個数を超えた遊技球が入球したことを条件として、前記特定音声を出力するものであり、
Ｉ’前記制御手段は、
　前記特定期間において前記第２演出における前記特定音声を聴認不能に制御可能である
Ｊ　ことを特徴とする遊技機。」
２　原査定の拒絶の理由の概要
　原査定の拒絶の理由は、この出願の令和１年１０月３０日に提出された手続補正書により補正された請求項１に係る発明が、下記先願の明細書等に記載された発明と同一の発明であるから、特許法第２９条の２の規定により特許を受けることができない、というものである。
　　先願　特願２０１５−７７８８４号（特開２０１６−１９５７２９号）
３　引用例（先願）
　先願明細書等の記載事項及び先願発明は、上記「第２〔理由〕３（２）」に記載したとおりである。
４　対比・判断
　本願発明は、上記「第２〔理由〕１（２）」で検討した本願補正発明から、「第２演出」において、「通常音声または当該通常音声とは異なる特定音声を聴認可能に出力する」こと、及び「開放された前記入賞口に予め定められた個数の遊技球が入球するまでは前記通常音声を」「出力可能に構成されて」いることに係る限定事項、及び、「特定期間」が、「一の前記特別遊技の実行中に、互いに重複しないよう異なるタイミングで複数回開始され得るものであ」ること、及び「前記一の前記特別遊技において複数回開始され得る」ことに係る限定事項を削除したものである。
　先願発明との一応の相違点であった、「第２演出」において、「通常音声または当該通常音声とは異なる特定音声を聴認可能に出力する」ことに係る限定事項が削除されたので、本願発明と先願発明とは、上記「第２〔理由〕３（３）」に記載したとおり、全ての点で一致し、相違点はない。
第４　むすび
　以上のとおり、本願発明は、先願に記載された発明である。また、本件出願の発明者が先願の発明者と同一ではなく、また本件の出願の時に、本件の出願人と先願の出願人とが同一でもない。
　したがって、本願発明は、特許法第２９条の２の規定により特許を受けることができないから、本願は拒絶すべきものである。
　よって、結論のとおり審決する。